(57)【要約】【課題】  従来、蓋を二重構造、或いは吸湿特性を備えた構造等とした蓋付き容器がある。この容器は、保温、防湿、防虫、防塵用として有効である。しかし、これらの構成は、意図する目的に限定されるので汎用性に欠けること、又は構造が複雑となること等の課題が考えられる。【構成】  本考案は、食器に被嵌できる略椀形を呈する本体と、本体に設けた摘みと、また本体の下端部に繞設した受け部とで構成した食器用カバーである。食器に盛られた食べ物の防虫、防湿、防塵等が図れ、かつ汎用性を備えた簡便な使用が図れる。また洗浄、取扱いの容易化等により日常生活に違和感なく使用が図れる。【選択図】      図１
0003104099.tif 000002
【実用新案登録請求の範囲】
【請求項１】
食器に被嵌できる略椀形を呈する本体と、この本体に設けた摘みとで構成した食器用カバーであって、
この本体を、同じ構成の他の食器用カバーの本体に積重ね可能な形状に構成した食器用カバー。
【請求項２】
食器に被嵌できる略椀形を呈する本体と、この本体に設けた摘みと、またこの本体の下端部に繞設した受け部とで構成した食器用カバー。
【請求項３】
請求項１又は請求項２の少なくとも本体を透明体で形成する構成とした食器用カバー。
【請求項４】
請求項１又は請求項２の少なくとも本体を可撓性に形成する構成とした食器用カバー。
【考案の詳細な説明】
【技術分野】
【０００１】
本考案は、食器に被嵌可能とした防虫、防湿、防塵又は水滴の滴下防止等が図れる食器用カバーに関する。
【背景技術】
【０００２】
従来、食器に盛られた食べ物は、防虫、防湿、防塵等を目的としてサランラップ(登録商標)等のラップでカバーすることが通常である。しかし、このラップ類でカバーする構成は、一度使用した場合には再利用が困難視されること、またラップ類の無駄使いになること等の問題点が指摘されている。またこの種のラップ類では、水滴の滴下を有効に防止するためには、面倒な取扱いが要求されること、また水滴の滴下防止が図れないこと等の問題があり、その解消が望まれている。
【０００３】
そして、この問題を解決するための手段として、市井には適切なものがなく、また文献を調査した結果においても直接関係する文献はなかった。但し、容器の内容物(食べ物)の漏れ防止、また保温の持続性、又は内容物からの湿気を吸収して、この湿気の漏れ(滴下)防止等を図る発明、考案としては、次に挙げる文献（１）〜（３）があった。この文献（１）は蓋付き容器(特開平７−２５７６２６号)、文献（２）は容器蓋(特開平１０−１２９７４３号)、また文献（３）は食品容器用の蓋(実用新案登録第３０２４２５４号)である。しかし、この文献（１）〜（３）は、個別の容器に取付けられる構成であり、一体不可分の関係である。従って、汎用性に欠けること、また文献（２）、（３）は湿気の漏れ防止は図れるが、この吸収した湿気の排除に手数と長い時間を要すること等の改良点が挙げられる。また文献（１）では湿気の漏れ防止を図るには、構造的に困難性が考えられる。
【０００４】
【特許文献１】特開平７−２５７６２６号
【特許文献２】特開平１０−１２９７４３号
【特許文献３】実用新案登録第３０２４２５４号
【考案の開示】
【考案が解決しようとする課題】
【０００５】
前記文献（１）〜（３）は、それぞれの目的を達成するには、十分であり、市井に貢献するところは大である。しかし、前述した如く、汎用性と、防虫、防塵、保温等を簡易に達成するには十分とは云えないこと、また構造の簡略化と、湿気の漏れ防止・水滴の滴下防止等の双方の目的を達成するには、必ずしも十分とは云えない処である。
【０００６】
上記に鑑み本考案は、汎用性を備えた簡便な使用を図り、また洗浄、取扱いの容易化等により日常生活に違和感なく使用が図れる食器用カバーの提供を意図する。
【課題を解決するための手段】
【０００７】
請求項１の考案は、食器に盛られた食べ物の防虫、防湿、防塵等を図り、かつ汎用性を備えた簡便な使用を図ること、また洗浄、取扱いの容易化等による日常生活に違和感ない使用を図ること等を意図した食器用カバーの提供を目的とする。また繰返しての使用と、簡単に積重ねが可能な構造とを採用して、市井の要望に対応できる食器用カバーの提供を意図する。
【０００８】
請求項１は、食器に被嵌できる略椀形を呈する本体と、この本体に設けた摘みとで構成した食器用カバーであって、
この本体を、同じ構成の他の食器用カバーの本体に積重ね可能な形状に構成した食器用カバーである。
【０００９】
請求項２の考案は、食器に盛られた食べ物の防虫、防湿、防塵等を図り、かつ汎用性を備えた簡便な使用を図ること、また洗浄、取扱いの容易化等による日常生活に違和感ない使用を図ること等を意図した食器用カバーの提供を目的とする。また繰返しての使用と、水滴の滴下防止を図れ、又は市井の要望に対応できる食器用カバーの提供を意図する。
【００１０】
請求項２は、食器に被嵌できる略椀形を呈する本体と、この本体に設けた摘みと、またこの本体の下端部に繞設した受け部とで構成した食器用カバーである。
【００１１】
請求項３の考案は、請求項１又は請求項２の目的を達成し、しかもカバー本体で隠蔽（カバー）された食べ物の雰囲気、各種の状態（色目、乾燥、温度、膨らみ等）の確認を図ること等を意図する。
【００１２】
請求項３は、請求項１又は請求項２の少なくとも本体を透明体で形成する構成とした食器用カバーである。
【００１３】
請求項４の考案は、請求項１又は請求項２の目的を達成し、しかもカバー本体を積重ね可能として、収容の容易化、コンパクト化等を意図する。
【００１４】
請求項４は、請求項１又は請求項２の少なくとも本体を可撓性に形成する構成とした食器用カバーである。
【考案の効果】
【００１５】
請求項１の考案は、食器に被嵌できる略椀形を呈する本体と、本体に設けた摘みとで構成した食器用カバーであって、
本体を、同じ構成の他の食器用カバーの本体に積重ね可能な形状に構成とした食器用カバーである。
【００１６】
従って、請求項１は、食器に盛られた食べ物の防虫、防湿、防塵等が図れ、かつ汎用性を備えた簡便な使用が図れること、また洗浄、取扱いの容易化等により日常生活に違和感なく使用が図れること等の特徴を備えた食器用カバーを提供できる。また繰返しての使用が図れること、簡単に積重ねが可能な構造を採用して市井の要望に対応できる食器用カバーを提供できること等の実益がある。
【００１７】
請求項２の考案は、食器に被嵌できる略椀形を呈する本体と、本体に設けた摘みと、また本体の下端部に繞設した受け部とで構成とした食器用カバーである。
【００１８】
従って、請求項２は、食器に盛られた食べ物の防虫、防湿、防塵等が図れ、かつ汎用性を備えた簡便な使用が図れること、また洗浄、取扱いの容易化等により日常生活に違和感なく使用が図れること等の特徴を備えた食器用カバーを提供できる。また繰返しての使用が図れること、水滴の滴下防止が図れること、又は市井の要望に対応できる食器用カバーを提供できること等の実益がある。
【００１９】
請求項３の考案は、請求項１又は請求項２の少なくとも本体を透明体で形成する構成とした食器用カバーである。
【００２０】
従って、請求項３は、請求項１又は請求項２の目的を達成できること、しかもカバー本体で隠蔽（カバー）された食べ物の雰囲気、各種の状態（色目、乾燥、温度、膨らみ等）の確認が図れること等の特徴がある。
【００２１】
請求項４の考案は、請求項１又は請求項２の少なくとも本体を可撓性に形成する構成とした食器用カバーである。
【００２２】
従って、請求項４は、請求項１又は請求項２の目的を達成できること、またカバー本体を積重ね可能として、収容の容易化、コンパクト化が図れること等の特徴がある。
【考案を実施するための最良の形態】
【００２３】
本考案の一例を説明する。
【００２４】
本考案の食器用カバーは、食器１に被嵌できる略椀形を呈するカバー本体２と、このカバー本体２に設けた摘み３と、またカバー本体２の下端部２００に繞設した断面樋状を呈する受け部４とで構成される。そして、この食器用カバーは、図１〜図３に示した三角錐状の形態、図４に示した半球状の形態、図５に示した図３の縦長の形態、また図６に示した縦長の三角錐状の形態、さらに図７に示した縦長の三角円錐状の形態等の各種の形態がある。いずれにしても、食器１に被嵌できる略椀形を呈する形態であれば自由である。尚、摘み３はカバー本体2の上部の表面に凹部として設ける構造も可能である。
【００２５】
このカバー本体２の素材は、透明樹脂、半透明樹脂等の樹脂素材、また金属素材、ガラス素材、陶器、透明等の窓付き陶器、又は漆器、透明等の窓付き漆器、木製、透明等の窓付き木製等の各種の素材を採用するが、必要とする目的、形状、大きさ等を考慮して決定する。そこで、その目安の一例を述べると、小型の形態では樹脂製、ガラス製等とし、また高級感を意図する場合には、ガラス製、金属製等とする。また趣向を凝らす場合には、柄、色彩、複合素材を使用した製品等を採用する。そして、透明樹脂、半透明樹脂等の如く、透視できる構成では、食器１内の食べ物の視認が可能となり、その状況を利用して食欲の増進と、食べ物の選択等が可能となり重宝すること、又は食事制限のある人へのサービスの提供と、その際の選択の容易性等が図れること等の特徴がある。
【００２６】
また、この食器用カバーは、食器１の一つに使用する図例があるが、この使用は一例である。従って、図示しないがその他の一例としては、一つの食器用カバーで、複数の食器１を被嵌する場合もあり得る。そして、被嵌の例においても、図３の例の如く、食器１に嵌合する例、図５、図７の如く、食器１の全体を被嵌する例等が考えられる。
【００２７】
この食器用カバーは、カバー本体２の下端部２００に断面樋状を呈する受け部４を繞設した構成であるので、カバー本体２の内面を伝わる水分、湿気等を受け部４に収容して、飯台、床面、蒲団等の載架場所の濡れと、濡れに起因する障害を回避できる利点がある。
【００２８】
また食器用カバーは、原則として積重ね可能に構成することで、収容の簡便化、収容スペースの減少化等に寄与できる。また積重ね可能な構成としては、例えば、形状の大小、折畳み式(絞込み、短冊状の折畳み、傘のような折込等の方法)、又は食器用カバーのカバー本体２を可撓性とした構造、また椀形の上底が浅い形状等の手段を採用することが望ましい。このような積重ね可能な構成は、旅館、寮、大家族等の多数の食器を利用する分野で重宝する。またこの形状の大小、多数の食器用カバーを識別する場合は、色分けして区別し、混同又は間違いを回避できる構成も可能である。
【００２９】
尚、カバー本体２は、図示の例では、円形を示したが、正方形、長方形、菱形、楕円形、星形等の各種の形状を選択できること、そして、子供用としては、各種のマスコット・キャラクターの形状等が望ましく、また料亭では、高級感を備えた形状、漆器、木製等が望ましい。またカバー本体２の上端部２０１を曲面に形成し、湿度の捕捉及び／又は水滴５の流れをスムーズにできること、この捕捉及び／又はスムーズな流れを確保することで水滴５が造り易いこと等の特徴が考えられる。またこの曲面の形成では、摘み３の収容を容易かつ簡易に行えること、また利便性が確保できること等の実益が考えられる。
【００３０】
そして、本考案では、カバー本体２の形状を、略椀形にしたことで、このカバー本体２の内外面に付着する水、塵等の不純物の除去を意図した、使用後の洗浄及び／又は乾燥の容易化、迅速化が達成できること、又は収容時の積重ねの容易化、確実性が達成できること等の特徴がある。そして、さらにカバー本体２の形状は、押圧力に対して略均等に受止め得ることから、例えば、亀裂、破損等の回避が図れること等の実益があり、漆器、陶器の高級品の場合、又はガラス製、プラスチック製の破損し易いもの等にとっては有効である。
【図面の簡単な説明】
【００３１】
【図１】本考案の三角錐状の形態を備えた食器用のカバーを示した断面図
【図２】本考案の三角錐状の形態を備えた食器用のカバーを積重ねた状態の断面図
【図３】本考案の三角錐状の形態を備えた食器用のカバーの使用の一例を示した断面図
【図４】本考案の半球状の形態を備えた食器用のカバーを示した断面図
【図５】図３の例の他の一例を示した断面図
【図６】図３の例のさらに他の一例を示した断面図
【図７】本考案の三角円錐状の形態を備えた食器用のカバーの使用の一例を示した断面図
【符号の説明】
【００３２】
１            食器
２            カバー本体
２００        下端部
２０１        上端部
３            摘み
４            受け部
５            水滴
【図１】
0003104099.tif 000003
【図２】
0003104099.tif 000004
【図３】
0003104099.tif 000005
【図４】
0003104099.tif 000006
【図５】
0003104099.tif 000007
【図６】
0003104099.tif 000008
【図７】
0003104099.tif 000009